(57)【要約】【課題】同一色トナー用のカートリッジが複数装着された画像形成装置において、出力指示からファーストプリントまでの時間間隔を短くする技術を提案する。【解決手段】同一色トナー用の複数のカートリッジ１８ａ〜１８ｄが、その順に中間転写ベルト２の回転方向の下流から上流に向かって装着されているプリンタにおいて、ジョブの第１枚目の画像データを処理する際、最下流のカートリッジ１８ａから順に画像形成が可能であるか否かが判定されて（ステップＳ１０３，Ｓ１０７，Ｓ１０９）、画像形成可能な最下流のカートリッジにおいて画像形成が開始される。【選択図】図３
2007114571.tif 000002
【特許請求の範囲】
【請求項１】
感光体の表面に形成された静電潜像をトナーで現像して、トナー画像を形成する現像手段と、
前記現像手段から前記トナー画像の一次転写を受けて、記録媒体に二次転写するための中間転写体と、
前記二次転写を行なう位置に前記記録媒体を搬送する搬送手段とを備え、
前記現像手段は、同一色のトナーで現像する、複数の現像手段を含み、
現像する画像データが処理対象のジョブに含まれる第１番目の画像データである場合に、前記複数の現像手段のうち、使用可能な現像手段であって、前記中間転写体の移動に対して最下流に位置する現像手段を用いて前記画像データの現像を行なうよう制御する制御手段を備える、画像形成装置。
【請求項２】
前記制御手段は、前記現像する画像データが前記ジョブに含まれる前記第１番目の画像データ以外の画像データである場合に、前記複数の現像手段のうち、前記最下流に位置する現像手段よりも上流に位置する現像手段を用いて前記画像データの現像を行なうよう制御する、請求項１に記載の画像形成装置。
【請求項３】
前記制御手段は、前記最下流に位置する現像手段よりも上流に位置する現像手段として、前記複数の現像手段のうち、使用可能な現像手段であって、前記中間転写体の移動に対して最上流に位置する現像手段を用いて前記画像データの現像を行なうよう制御する、請求項２に記載の画像形成装置。
【請求項４】
前記制御手段は、前記最下流に位置する現像手段よりも上流に位置する現像手段のうち、前記現像手段のトナー残量が最も多い現像手段を用いて前記画像データの現像を行なうよう制御する、請求項２に記載の画像形成装置。
【請求項５】
前記制御手段は、前記画像データの現像を行なう前記現像手段から前記二次転写を行なう位置まで前記中間転写体の移動に要する第１の時間と、前記搬送手段によって前記二次転写を行なう位置まで前記記録媒体の搬送に要する第２の時間との関係に基づき、前記現像手段における前記トナー画像の形成の開始と、前記搬送手段による前記記録媒体の搬送の開始とのタイミングを制御する、請求項１に記載の画像形成装置。
【請求項６】
前記現像手段の装着位置のうち、前記中間転写体の移動の対して最下流の装着位置に前記現像手段が装着されていないこと、または前記最下流の装着位置に装着されている前記現像手段において前記トナー画像の形成が不可能であることを検出する検出手段と、
前記検出手段での検出結果に応じて、メッセージ表示を行なう表示手段とをさらに備える、請求項１に記載の画像形成装置。
【発明の詳細な説明】
【技術分野】
【０００１】
この発明は画像形成装置に関し、特に、複数の同一色トナー用のカートリッジを含んで構成される画像形成装置に関する。
【背景技術】
【０００２】
４サイクル画像形成装置やカラータンデム画像形成装置などの画像形成装置においては、電子写真などのデジタルデータを出力する際に、基本色であるシアン（Ｃ）、マゼンタ（Ｍ）、およびイエロー（Ｙ）の各色用のトナーカートリッジ（現像器）（カラーカートリッジ）が装着されていることが検出されるとカラー出力を行なうカラーモードに、モノクロ（たとえばブラック（Ｋ））用のトナーカートリッジ（モノクロカートリッジ）が装着されていることが検出されるとモノクロ出力を行なうモノクロモードに切替り、画像を形成するものがある。
【０００３】
そのような画像形成装置においては、従来、カラーカートリッジとモノクロカートリッジとがすべて正しい位置に装着されていることが検出されないとカラー出力が実行されないという第１の問題があった。また、モノクロカートリッジが正しい位置に装着されていることが検出されないとモノクロ出力が実行されないという第２の問題があった。
【０００４】
上記第１の問題を解決する技術として、以下の特許文献１は、すべてのカラーカートリッジが装着されていない場合であっても、装着されているカートリッジを用いてカラー出力するカラー画像形成装置を提案している。
【０００５】
また、上記第２の問題を解決する技術として、複数のモノクロカートリッジが装着されてもモノクロモードで動作する画像形成装置が提案されている。このように、１つの画像形成装置に同一色トナー用のカートリッジが複数装着されることで、上記同一色トナー用のカートリッジの交換周期が長くなり、交換の手間を軽減できるというメリットがある。
【特許文献１】特開２００１−２１５７６８号公報
【発明の開示】
【発明が解決しようとする課題】
【０００６】
しかしながら、１つの画像形成装置に同一色トナー用のカートリッジを複数装着した場合、そのカートリッジの中の最下流に位置するカートリッジが交換時期に到達するとそのカートリッジを用いて第１枚目の出力（ファーストプリント）を行なうことができないために、ファーストプリントにそのカートリッジよりも上流のカートリッジが用いられ、出力指示からファーストプリントまでの時間間隔を最短にすることができないという問題がある。
【０００７】
本発明はこのような問題に鑑みてなされたものであって、同一色トナー用のカートリッジが複数装着されたときに、出力指示からファーストプリントまでの時間間隔を短くすることのできる画像処理装置を提供することを目的とする。
【課題を解決するための手段】
【０００８】
上記目的を達成するために、本発明のある局面に従うと、画像形成装置は、感光体の表面に形成された静電潜像をトナーで現像して、トナー画像を形成する現像手段と、現像手段からトナー画像の一次転写を受けて、記録媒体に二次転写するための中間転写体と、二次転写を行なう位置に記録媒体を搬送する搬送手段とを備え、現像手段は、同一色のトナーで現像する、複数の現像手段を含み、現像する画像データが処理対象のジョブに含まれる第１番目の画像データである場合に、複数の現像手段のうち、使用可能な現像手段であって、中間転写体の移動に対して最下流に位置する現像手段を用いてその画像データの現像を行なうよう制御する制御手段を備える。
【０００９】
また、制御手段は、現像する画像データがジョブに含まれる第１番目の画像データ以外の画像データである場合に、複数の現像手段のうち、最下流に位置する現像手段よりも上流に位置する現像手段を用いてその画像データの現像を行なうよう制御することが好ましい。
【００１０】
なお、具体的には、制御手段は、最下流に位置する現像手段よりも上流に位置する現像手段として、複数の現像手段のうち、使用可能な現像手段であって、中間転写体の移動に対して最上流に位置する現像手段を用いてその画像データの現像を行なうよう制御することがより好ましい。
【００１１】
または、制御手段は、最下流に位置する現像手段よりも上流に位置する現像手段のうち、現像手段のトナー残量が最も多い現像手段を用いて画像データの現像を行なうよう制御することがより好ましい。
【００１２】
また、制御手段は、画像データの現像を行なう現像手段から二次転写を行なう位置まで中間転写体の移動に要する第１の時間と、搬送手段によって二次転写を行なう位置まで記録媒体の搬送に要する第２の時間との関係に基づき、現像手段におけるトナー画像の形成の開始と、搬送手段による記録媒体の搬送の開始とのタイミングを制御することが好ましい。
【００１３】
また、画像形成装置は、現像手段の装着位置のうち、中間転写体の移動の対して最下流の装着位置に現像手段が装着されていないこと、または最下流の装着位置に装着されている現像手段においてトナー画像の形成が不可能であることを検出する検出手段と、検出手段での検出結果に応じて、メッセージ表示を行なう表示手段とをさらに備えることが好ましい。
【発明の効果】
【００１４】
本発明にかかる画像形成装置は、同一色のトナーで現像する、複数のカートリッジの装着が可能であって、処理対象のジョブに含まれる第１番目の画像データを、中間転写体の移動に対して最下流に位置するカートリッジにおいて現像することで、上記同一色用のカートリッジがすべて寿命になって交換する時期まで、印刷時において最短のファーストプリント時間で動作することが可能になる。
【発明を実施するための最良の形態】
【００１５】
以下に、図面を参照しつつ、本発明の実施の形態について説明する。以下の説明では、同一の部品および構成要素には同一の符号を付してある。それらの名称および機能も同じである。
【００１６】
本実施の形態においては、本発明にかかる画像形成装置をタンデム方式のデジタルカラープリンタ（以下、プリンタという）で適用する場合について説明するが、本発明にかかる画像形成装置はプリンタに限定されず、タンデム方式のファクシミリ装置やＭＦＰ（Multi Function Peripherals）などであってもよい。または、プリンタ等の画像出力装置に接続されたパーソナルコンピュータ等のコンピュータに適用されてもよい。
【００１７】
図１は、本発明にかかる画像形成装置が適用される、本実施の形態にかかるプリンタ１の装置構成の概略についての具体例を示す模式的断面図である。
【００１８】
図１を参照して、プリンタ１の装置構成は、作像部と搬送部と定着部とに大分される。
プリンタ１の作像部は、複数のカートリッジ（現像器）１８ａ〜１８ｄ（これらを代表させて、カートリッジ１８と称する）を含んで構成される。
【００１９】
各カートリッジ１８には、感光体３と、感光体３の表面を均一に帯電させる帯電部５と、画像データを構成する各色データに基づいて感光体３にレーザビームを出力して、均一に帯電された感光体３の表面に、画像データに応じた露光を行なって静電潜像を形成する露光部６と、感光体３の表面に形成された静電潜像をトナーで現像し、トナー像を形成する現像部４と、一次転写後に感光体３の表面に残留するトナーを感光体３から分離する感光体クリーナ７とが内蔵される。
【００２０】
さらに、プリンタ１の作像部は、感光体３上に形成されたトナー像を重ねて一次転写し、画像形成する中間転写ベルト２と、中間転写ベルト２上に一次転写されたトナー像を記録媒体（印刷用紙）上に二次転写する転写ローラ１３と、二次転写後に中間転写ベルト２上に残留するトナーを中間転写ベルト２から分離する中間転写ベルトクリーナ８とを含んで構成される。
【００２１】
中間転写ベルト２は、複数のローラ（図１においては２つのローラ）により弛まないように懸架される無端ベルトである。上記複数のローラが、図１において反時計回りに回転することで、中間転写ベルト２は所定速度で図１において反時計回りに回転する。図１において、中間転写ベルト２の回転方向の下流から上流に向かって、カートリッジ１８ａ〜１８ｄがその順に、所定間隔で配置される。転写ローラ１３は、上記複数のローラのうちの、中間転写ベルト２の回転方向の下流側に位置するローラと中間転写ベルト２を介して対をなす。
【００２２】
プリンタ１の搬送部は、記録媒体である印刷用紙を収納する記録媒体収納部９と、記録媒体収納部９から搬送路に記録媒体を給紙する給紙ローラ１０と、給紙された記録媒体を中間転写ベルト２上のトナー像との同期をとって転写ローラ１３に給紙するタイミングローラ１１と、トナー像定着後の記録媒体を両面印刷のために再度搬送路に戻す両面搬送路１６と、トナー像定着後の記録媒体を排出または両面搬送路１６へ搬送する排紙ローラ１５と、両面搬送路１６へ搬送された記録媒体をタイミングローラ１１に給紙する両面経路搬送ローラ１７ａ，１７ｂとを含んで構成される。
【００２３】
プリンタ１の定着部は、定着ローラ１４であるハロゲンヒータ２１を備えて二次転写後の記録媒体に加熱する加熱ローラ１４ａ、および加熱ローラ１４ａと記録媒体を介して対をなし、記録媒体を加熱ローラ１４ａに対して加圧して記録媒体上に二次転写されたトナー像を定着させる加圧ローラ１４ｂと、加熱ローラ１４ａの表面温度を検出するサーミスタ２０とを含んで構成される。
【００２４】
ハロゲンヒータ２１が点灯されることで加熱ローラ１４ａの表面温度が上昇し、定着ローラ１４として対をなす加圧ローラ１４ｂの表面温度も上昇する。表面温度の上昇した加熱ローラ１４ａと加圧ローラ１４ｂとの回転に伴ってその間を加圧されながら二次転写後の記録媒体が搬送されることで、記録媒体上のトナーが溶解し、記録媒体上に定着する。なお、プリンタ１が、カラー画像を印刷するカラーモードで動作する場合には、加熱ローラ１４ａの表面温度がカラー画像定着温度になるよう、溶解温度がカラートナーよりも低いモノクロトナーだけで作像されるモノクロ画像を印刷するモノクロモードで動作する場合には、加熱ローラ１４ａの表面温度がカラー画像定着温度よりも低いモノクロ画像定着温度になるよう制御される。
【００２５】
図２は、プリンタ１の要部の電気的構成の具体例を模式的に示すブロック図である。
図２を参照して、プリンタ１は、プリンタ１全体の制御を行なう制御基板４０と、カートリッジ装着基板５０とを含んで構成される。
【００２６】
制御基板４０は、ＣＰＵ（Central Processing Unit）４１と不揮発性メモリ４２とを含み、ＣＰＵ４１と不揮発性メモリ４２との間で通信が行なわれる。不揮発性メモリ４２は、上記カラー画像定着温度や上記モノクロ画像定着温度や定着開始前の予備温度の設定値や、ＣＰＵ４１で実行されるプログラムなどを予め記憶する。
【００２７】
カートリッジ装着基板５０には、複数のカートリッジ１８ａ〜１８ｄが装着される（図２ではこれらを代表させて、カートリッジ１８と示されている）。さらにカートリッジ１８は不揮発性のメモリ６０を含み、不揮発性のメモリ６０は、トナー色情報、トナーの寿命情報などを記録する。カートリッジ装着基板５０にカートリッジ１８が装着されると、ＣＰＵ４１とメモリ６０とはシリアル通信ラインで接続される。
【００２８】
ＣＰＵ４１は、定着部の温度制御等、プリンタ１の各部を制御する。また、ＣＰＵ４１は、シリアル通信ラインを介したＣＰＵ４１とメモリ６０との通信が確立することで、カートリッジ装着基板５０の該当する位置へのカートリッジ１８の装着を検出する。また、各装着位置に装着されたカートリッジのトナー色情報や寿命情報などの情報が読取られる。ＣＰＵ４１は、メモリ６０との間の通信状況（すなわちカートリッジ１８の装着状況）や、メモリ６０から読取った情報に基づいて、プリンタ１の動作モードをカラーモードまたはモノクロモードに切替える。
【００２９】
動作モードの切替えの具体例として、ＣＰＵ４１は、カートリッジ１８のうち、カラー画像を形成するための基本色であるシアン（Ｃ）、マゼンタ（Ｍ）、およびイエロー（Ｙ）の各色用のトナーカートリッジ（カラーカートリッジ）においてカラー画像の形成が可能であるか否か、モノクロ（たとえばブラック（Ｋ））用のトナーカートリッジ（モノクロカートリッジ）においてモノクロ画像の形成が可能であるか否かを判断し、カラー画像の形成が不可能で、かつモノクロ画像の形成が可能であるときはモノクロモードに切替える。すなわち、上記カラーカートリッジのうちの少なくとも１つが、カートリッジ装着基板５０に装着されていない場合や寿命切れ（トナーエンプティも含む）である場合の少なくとも一方の場合であるときには、カラー画像の形成が不可能と判断され、上記原因が解消された場合には、カラー画像の形成が可能と判断される。また、モノクロカートリッジが同様の場合には、モノクロ画像の形成が不可能と判断され、少なくとも１つカートリッジ装着基板５０に装着されている場合には、モノクロ画像の形成が可能と判断される。
【００３０】
したがって、たとえばユーザがカラーカートリッジの１つを取出したり、カラーカートリッジの少なくとも１つをモノクロカートリッジと交換したりした場合には、装着されているモノクロカートリッジが寿命切れ等でない限り、ＣＰＵ４１においてはモノクロ画像の形成が可能と判断され、自動的に動作モードがモノクロモードに切替る。なお、動作モードの切替えは、図示しない操作部や他の装置からの信号を受信する受信部等においてユーザ操作を受付けることでなされてもよい。
【００３１】
本実施の形態にかかるプリンタ１は、複数のカートリッジ１８ａ〜１８ｄのうち、最下流のカートリッジ１８ａを除く他のカートリッジａ〜１８ｃのいずれかがモノクロカートリッジである場合には、ＣＰＵ４１において動作モードがモノクロモードとされ、最下流のカートリッジ１８ａのみがモノクロカートリッジである場合には（モノクロ画像の作像も可能な）カラーモードとされる。動作モードがモノクロモードである場合には、カートリッジ装着基板５０に装着されたすべてのモノクロカートリッジが交換時期に到達するまでモノクロモードが継続する。
【００３２】
［第１の実施の形態］
図３は、第１の実施の形態にプリンタ１において、動作モードがモノクロモードであって、動作が低消費電力状態等の停止状態であったときに画像データを受信すると実行される、画像形成を行なうカートリッジを決定する処理を示すフローチャートである。ここでは、複数のカートリッジ１８ａ〜１８ｄのすべてが、同一色のモノクロカートリッジであるものとする。図３のフローチャートに示される処理は、ＣＰＵ４１が不揮発性メモリ４２に記憶されるプログラムを読出して実行し、図１に示される各装置を制御することで実現される。
【００３３】
図３を参照して、画像データを受信して処理が開始すると、始めに、ＣＰＵ４１において、処理対象の画像データが最初の画像データ（以下、１枚目の画像データと言う）であるか否かが判定され（ステップＳ１０１）、１枚目である場合（ステップＳ１０１でＹＥＳ）、複数装着されている同一色のモノクロカートリッジのうちの最下流に装着されるカートリッジ１８ａでモノクロ画像の形成が可能であるか否かが判定される（ステップＳ１０３）。最下流のカートリッジ１８ａにおいて画像形成が可能である場合には（ステップＳ１０３でＹＥＳ）、カートリッジ１８ａが画像形成を行なうカートリッジに決定され、カートリッジ１８ａにおいて１枚目の画像データの画像形成が開始される（ステップＳ１０５）。
【００３４】
最下流のカートリッジ１８ａにおいてモノクロ画像の形成が不可能である場合には（ステップＳ１０３でＮＯ）、カートリッジ１８ａを除いて最下流に装着されるカートリッジ１８ｂでモノクロ画像の形成が可能であるか否かが判定され（ステップＳ１０７）、可能な場合には（ステップＳ１０７でＹＥＳ）、そのカートリッジ１８ｂが画像形成を行なうカートリッジに決定されて、カートリッジ１８ｂにおいて１枚目の画像データの画像形成が開始される（ステップＳ１０９）。
【００３５】
同様に、処理対象の画像データが１枚目の画像データである場合には、最下流のカートリッジから順に画像形成が可能であるか否かが判定されて（ステップＳ１０３，Ｓ１０７，Ｓ１１０）、画像形成が可能なその時点で最下流に装着されているカートリッジが画像形成を行なうカートリッジに決定される（ステップＳ１０５，Ｓ１０９，Ｓ１１１，またはＳ１１３）。
【００３６】
処理対象の画像データが１枚目の画像データでなく、２枚目以降の画像データである場合には（ステップＳ１０１でＮＯ）、モノクロカートリッジのうちの最上流に装着されるカートリッジ１８ｄでモノクロ画像の形成が可能であるか否かが判定され（ステップＳ１１５）、最上流のカートリッジ１８ｄにおいて画像形成が可能である場合には（ステップＳ１１５でＹＥＳ）、そのカートリッジ１８ｄが画像形成を行なうカートリッジに決定されて、カートリッジ１８ｄにおいてその画像データの画像形成が開始される（ステップＳ１１７）。
【００３７】
最上流のカートリッジ１８ｄにおいてモノクロ画像の形成が不可能である場合には（ステップＳ１１５でＮＯ）、カートリッジ１８ｄを除いて最上流に装着されるカートリッジ１８ｃでモノクロ画像の作像が可能であるか否かが判定され（ステップＳ１１９）、可能な場合には（ステップＳ１１９でＹＥＳ）、そのカートリッジ１８ｃが画像形成を行なうカートリッジに決定されて、カートリッジ１８ｃにおいてその画像データの画像形成が開始される（ステップＳ１２１）。
【００３８】
同様に、処理対象の画像データが１枚目の画像データでない場合には、最上流のカートリッジから順に画像形成が可能であるか否かが判定されて（ステップＳ１１５，Ｓ１１９，Ｓ１２３）、画像形成が可能なその時点で最上流に装着されているカートリッジが画像形成を行なうカートリッジに決定される（ステップＳ１１７，Ｓ１２１，Ｓ１２５，またはＳ１２７）。
【００３９】
プリンタ１において上記処理が実行されることで、１枚目の画像データの画像形成を行なうカートリッジとして、その時点で画像形成可能なモノクロカートリッジのうちの最下流のカートリッジが決定され、２枚目以降の画像データの画像形成を行なうカートリッジとして、その時点で画像形成可能なモノクロカートリッジのうちの最上流のカートリッジが決定される。
【００４０】
図４〜図６は、第１の実施の形態にプリンタ１において、動作モードがモノクロモードであって、動作が低電圧状態等の停止状態であったときに画像データを受信すると実行される、カートリッジ１８での画像形成および給紙のタイミング制御を示すフローチャートである。ここでは、複数のカートリッジ１８ａ〜１８ｄのすべてが、同一色のモノクロカートリッジであるものとし、上記処理の結果、１枚目の画像データは最下流のカートリッジ１８ａで画像形成され、２枚目以降の画像データは最上流のカートリッジ１８ｄで画像形成されるものとする。図４〜図６のフローチャートに示される制御もまた、ＣＰＵ４１が不揮発性メモリ４２に記憶されるプログラムを読出して実行し、図１に示される各装置を制御することで実現される。
【００４１】
また、図７は、各カートリッジ１８における一次転写位置と、二次転写位置との距離関係を模式的に示す図である。
【００４２】
図７において、位置Ｐ１は二次転写位置、位置Ｐ２は最下流のカートリッジ１８ａにおける一次転写位置、および位置Ｐ３は最上流のカートリッジ１８ｄにおける一次転写位置を示し、位置Ｐ１から位置Ｐ２までの距離を距離Ｘ２、隣合うカートリッジにおける一次転写位置の間の距離を距離Ｘ１とする。また、記録媒体収納部９からの給紙開始位置より位置Ｐ１までの距離をＸ３とする。各カートリッジの間隔（距離Ｘ１）は一定であり、プリンタ１に４つのカートリッジが装着されていることより、位置Ｐ２から位置Ｐ３までの距離は距離（３×Ｘ１）となる。なお、ここでは、一次転写位置および二次転写位置は、転写開始位置とし、具体的には、一次転写位置Ｐ２，Ｐ３はカートリッジ１８ａにおいて感光体３が中間転写ベルト２と接する位置、二次転写位置Ｐ１は搬送された記録媒体が転写ローラ１３と接する位置であるものとする。また、給紙開始位置は記録媒体収納部９からの記録媒体が給紙ローラ１０と接する位置であるものとする。
【００４３】
ここで、各時間Ｔ２，Ｔ３，Ｔ５，Ｔ６，Ｔ７を以下のように定義する。以下の定義において、中間転写ベルト２の速度をＶ、記録媒体の搬送速度をｖ、記録媒体（用紙）の長さをＬ、および複数の記録媒体が連続して搬送される場合の所定の用紙間隔をｄとする。
時間Ｔ２：給紙を開始してから用紙先端が位置Ｐ１に達するまでの時間（Ｔ６）と、画像形成を開始してから形成された画像の先端が位置Ｐ１に達するまでの時間（Ｔ３またはＴ５）との差
時間Ｔ３：最上流のカートリッジ１８ｄが画像形成を開始してから二次転写を開始する（形成された画像の先端が位置Ｐ１に達する）までの時間（＝（３×Ｘ１＋Ｘ２）／Ｖ）
時間Ｔ５：最下流のカートリッジ１８ａが画像形成を開始してから二次転写を開始する（形成された画像の先端が位置Ｐ１に達する）までの時間（＝Ｘ２／Ｖ）
時間Ｔ６：給紙を開始してから用紙先端が位置Ｐ１に達するまでの時間（＝Ｘ３／ｖ）
時間Ｔ７：用紙長さ＋用紙間隔の距離を、用紙が搬送される時間（＝（Ｌ＋ｄ）／ｖ）
【００４４】
図４を参照して、始めに、印刷ジョブが開始されて、１枚目の画像データの処理が開始すると、時間Ｔ５が時間Ｔ６よりも大なる場合、すなわち、最下流のカートリッジ１８ａが画像形成を開始してから形成された画像の先端が位置Ｐ１に達するまでの時間の方が給紙を開始してから用紙先端が位置Ｐ１に達するまでの時間よりも長い場合（ステップＳ２０１でＹＥＳ）、時間Ｔ２を時間Ｔ５から時間Ｔ６を引いた時間として（ステップＳ２０３）、カートリッジ１８ａでの画像形成を、給紙よりも先に開始する（ステップＳ２０５）。
【００４５】
そして、画像形成開始からの経過時間が時間Ｔ２に達した時点で（ステップＳ２０７でＹＥＳ）、給紙を開始する（ステップＳ２０９）。
【００４６】
一方、時間Ｔ６が時間Ｔ５よりも大なる場合、すなわち、給紙を開始してから用紙先端が位置Ｐ１に達するまでの時間の方がカートリッジ１８ａが画像形成を開始してから形成された画像の先端が位置Ｐ１に達するまでの時間よりも長い場合（ステップＳ２０１でＮＯ）、時間Ｔ２を時間Ｔ６から時間Ｔ５を引いた時間として（ステップＳ２１１）、カートリッジ１８ａでの画像形成よりも先に給紙を開始する（ステップＳ２１３）。
【００４７】
そして、給紙開始からの経過時間が時間Ｔ２に達した時点で（ステップＳ２１５でＹＥＳ）、カートリッジ１８ａでの画像形成を開始する（ステップＳ２１７）。
【００４８】
当該ジョブに次の画像データが含まれ、２枚目の画像データの処理が開始すると（ステップＳ２１９でＹＥＳ）、時間Ｔ３が時間Ｔ６よりも大なる場合、すなわち、最上流のカートリッジ１８ｄが画像形成を開始してから形成された画像の先端が位置Ｐ１に達するまでの時間の方が給紙を開始してから用紙先端が位置Ｐ１に達するまでの時間よりも長い場合（ステップＳ２２１でＹＥＳ）、図５を参照して、時間Ｔ２を時間Ｔ６から時間Ｔ３を引いた時間として（ステップＳ２２３）、前回（ここでは１枚目印刷のため）の給紙開始からの経過時間が、連続して複数の記録媒体を給紙する際の規定の給紙時間間隔である時間Ｔ７に達した時点で（ステップＳ２２５でＹＥＳ）、カートリッジ１８ｄでの画像形成よりも先に給紙を開始する（ステップＳ２２７）。
【００４９】
そして、給紙開始からの経過時間が時間Ｔ２に達した時点で（ステップＳ２２９でＹＥＳ）、カートリッジ１８ｄでの画像形成を開始する（ステップＳ２３１）。
【００５０】
一方、時間Ｔ６が時間Ｔ３よりも大なる場合、すなわち、給紙を開始してから用紙先端が位置Ｐ１に達するまでの時間の方が最上流のカートリッジ１８ｄが画像形成を開始してから形成された画像の先端が位置Ｐ１に達するまでの時間よりも長い場合（ステップＳ２２１でＮＯ）、図６を参照して、時間Ｔ２を時間Ｔ３から時間Ｔ６を引いた時間として（ステップＳ２３５）、前回（ここでは１枚目印刷のため）の給紙開始からの経過時間が時間Ｔ７から時間Ｔ２を引いた時間に達した時点で（ステップＳ２３７でＹＥＳ）、カートリッジ１８ｄでの画像形成を、給紙よりも先に開始する（ステップＳ２３９）。
【００５１】
そして、画像形成開始からの経過時間が時間Ｔ２に達した時点で（ステップＳ２４１でＹＥＳ）、給紙を開始する（ステップＳ２４３）。
【００５２】
以上のステップＳ２１９〜Ｓ２４３の処理は、当該ジョブに含まれるすべての画像データの印刷が終了するまで繰返され（ステップＳ２４５）、すべての画像データの印刷が終了すると（ステップＳ２４５でＹＥＳ）、または当該ジョブに含まれる画像データが１枚目のみである場合（ステップＳ２１９でＮＯ）、本処理を終了する。
【００５３】
第１の実施の形態にかかるプリンタ１では、上記処理が実行されることで、画像形成を行なうカートリッジが決定され、動作モードがモノクロモードであって、同一色のモノクロカートリッジが複数装着されているプリンタ１において複数の画像データを含むジョブを処理する場合においては、１枚目の画像データは最下流のカートリッジで、２枚目以降の画像データは最上流のカートリッジで、上記タイミング制御にしたがって画像形成される。
【００５４】
１枚目の画像データが最下流のカートリッジで画像形成され、形成された画像が二次転写開始位置に到達するタイミングと記録媒体が二次転写開始位置に供給されるタイミングとが一致するようタイミング制御されることで、複数装着されているモノクロカートリッジのすべてについて交換する時期となるまで、ファーストプリントの時間をその時点での最速とすることができる。
【００５５】
また、２枚目以降の画像データの画像形成についても、同様に、形成された画像が二次転写開始位置に到達するタイミングと記録媒体が前の記録媒体から所定間隔で二次転写開始位置に供給されるタイミングとが一致するようタイミング制御されることで、これら複数の画像データからなる当該ジョブの画像形成を開始してからすべての画像データの印刷が完了するまでの総時間をその時点での最速とすることができる。
【００５６】
さらに、２枚目以降の画像データが最上流のカートリッジで画像形成されることで、複数装着されているモノクロカートリッジのうち、最下流のカートリッジを除いた中で最下流のカートリッジ（次に最下流のカートリッジ：上記実施の形態ではカートリッジ１８ｂ）の消費が最小限に抑えられる可能性が高い。そのため、現在最下流のカートリッジにおいて（トナーエンプティ等で）画像形成が不可能になった場合に、１枚目の画像データの画像形成を行なうことになる次に最下流のカートリッジにおいて、画像形成可能な期間が長く保たれる可能性が高くなる。そのため、複数装着されているモノクロカートリッジのすべてについて交換する時期となるまで、印刷時においてファーストプリントの時間をその時点での最速とすることができる。また、複数の画像データからなる当該ジョブの画像形成を開始してからすべての画像データの印刷が完了するまでの総時間をその時点での最速とすることができる。
【００５７】
［第２の実施の形態］
図８は、第２の実施の形態にプリンタ１において、動作モードがモノクロモードであって、動作が低電圧状態等の停止状態であったときに画像データを受信すると実行される、画像形成を行なうカートリッジを決定する処理を示すフローチャートである。ここでは、複数のカートリッジ１８ａ〜１８ｄのすべてが、同一色のモノクロカートリッジであるものとする。図８のフローチャートに示される処理もまた、ＣＰＵ４１が不揮発性メモリ４２に記憶されるプログラムを読出して実行し、図１に示される各装置を制御することで実現される。なお、図８のフローチャートにおけるステップＳ１０１〜Ｓ１１３の（１枚目の画像データを画像形成するカートリッジを決定する）処理は、図３に示された第１の実施の形態にかかるプリンタ１での画像形成を行なうカートリッジを決定する処理におけるステップＳ１０１〜Ｓ１１３の処理と同様である。そこで、以下、ステップＳ１１３以降の処理について説明する。
【００５８】
処理対象の画像データが１枚目の画像データでなく、２枚目以降の画像データである場合もまた（ステップＳ１０１でＮＯ）、ＣＰＵ４１において、モノクロカートリッジのうちの最下流に装着されるカートリッジ１８ａでモノクロ画像の形成が可能であるか否かが判定され（ステップＳ３０１）、最下流のカートリッジ１８ａにおいて画像形成が可能である場合には（ステップＳ３０１でＹＥＳ）、そのカートリッジ１８ａよりも上流に装着されるカートリッジ１８ｂ〜１８ｄのいずれかを画像形成を行なうカートリッジに決定する処理がなされて、そのカートリッジ１８においてその画像データの画像形成が開始される（ステップＳ３０３）。
【００５９】
図９は、上記ステップＳ３０３で実行される、２枚目以降の画像データを画像形成するカートリッジを決定する処理を示すフローチャートである。
【００６０】
図９を参照して、最下流のカートリッジ１８ａにおいてモノクロ画像の形成が可能であることが確認されると、ＣＰＵ４１において、それよりも上流側に装着されるカートリッジ１８ｂ，１８ｃ，１８ｄの各々について画像形成が可能であるか否かが判定される（ステップＳ４０１，Ｓ４０７，Ｓ４１３）。画像形成が可能であると判定された場合には（ステップＳ４０１でＹＥＳ，Ｓ４０７でＹＥＳ，Ｓ４１３でＹＥＳ）、メモリ６０からトナーの残量を取得して、不揮発性メモリ４２の所定領域に記憶する（ステップＳ４０３，Ｓ４０９，Ｓ４１５）。また、画像形成が不可能であると判定された場合には（ステップＳ４０１でＮＯ，Ｓ４０７でＮＯ，Ｓ４１３でＮＯ）、不揮発性メモリ４２の上記所定領域に当該カートリッジのトナー残量を０と記憶する（ステップＳ４０５，Ｓ４１１，Ｓ４１７）。各カートリッジについての判定順は、図９に示される順に限定されない。
【００６１】
上記ステップＳ３０１で画像形成が可能であると判定されたカートリッジ１８ａよりも上流に装着される各カートリッジについて上記判定が終了すると、不揮発性メモリ４２の上記所定領域に記憶された各カートリッジのトナー残量が参照されて、トナー残量が際だのカートリッジが当該画像データの画像形成を行なうカートリッジに決定される（ステップＳ４１９）。
【００６２】
最下流のカートリッジ１８ａにおいて画像形成が不可能である場合には（ステップＳ３０１でＮＯ）、カートリッジ１８ａを除いて最下流に装着されるカートリッジ１８ｂでモノクロ画像の形成が可能であるか否かが判定され（ステップＳ３０５）、可能な場合には（ステップＳ３０５でＹＥＳ）上記ステップＳ３０３と同様に、そのカートリッジ１８ｂよりも上流に装着されるカートリッジ１８ｃ，１８ｄのいずれかを画像形成を行なうカートリッジに決定する処理がなされて、そのカートリッジ１８においてその画像データの画像形成が開始される（ステップＳ３０７）。カートリッジ１８ｂにおいて画像形成が不可能である場合には（ステップＳ３０５でＮＯ）、残るカートリッジ１８ｃについてモノクロ画像の形成が可能であるか否かが判定されて（ステップＳ３０９）、可能ならばカートリッジｃが、不可能ならばカートリッジｄが当該画像データの画像形成を行なうカートリッジに決定され、そのカートリッジ１８においてその画像データの画像形成が開始される（ステップＳ３１１，Ｓ３１３）。
【００６３】
第２の実施の形態にかかるプリンタ１で上記処理が実行されて２枚以降の画像データを画像形成するカートリッジが決定されることで、１枚目の画像データが複数装着されている同一色のモノクロカートリッジのうちの最下流のカートリッジで画像形成されると共に、２枚目以降の画像データが、最下流のカートリッジ以外のカートリッジについて、切替えて画像形成される。これによって、複数装着されているモノクロカートリッジのうち、最下流のカートリッジ以外のカートリッジのトナーの消費量をできるだけ均一とすることができる。
【００６４】
通常、交換時期に到達したカートリッジであってもある程度は印字可能であって、形成画像がかすれるなどによってユーザが交換を判断することが多い。しかしながら、その状態で規定枚数以上の印字を行なうと故障の原因ともなるので、強制的に印字が停止される機構が備えられている。本実施の形態にかかるプリンタ１では、上記処理が実行されて最下流のカートリッジ以外のカートリッジのトナーの消費量ができるだけ均一となっているので、最下流のカートリッジ以外のカートリッジのいずれかが印字を停止する状態になった場合には、他の最下流のカートリッジ以外のカートリッジも同様に停止する状態、またはその状態に近い状態となっている。そのため、ユーザは、その時点で最下流のカートリッジ以外のすべてのカートリッジを交換することになり、最下流のカートリッジ以外のカートリッジを個々に交換する場合に比べて、カートリッジ交換のサイクルを長くすることができる。
【００６５】
また、低濃度で印字が行なわれると、カートリッジ内に劣化したトナーが溜まってくる。劣化トナーは、その後の高濃度の印字などで吐き出される。しかしながら、カートリッジが均一に使用されていない場合には、使用されないカートリッジでは上記吐き出しが行なわれず、劣化トナーが蓄積されてしまうため、劣化トナーを吐き出す処理が別途必要になる場合ある。本実施の形態にかかるプリンタ１では、上記処理が実行されて最下流のカートリッジ以外のカートリッジのトナーの消費量ができるだけ均一となっているので、この吐き出し処理を不要とする、またはその回数を抑えるようにすることが可能になる。
【００６６】
［第３の実施の形態］
図１０は、第３の実施の形態にかかるプリンタ１において、第１の実施の形態にかかるプリンタ１で実行される画像形成を行なうカートリッジを決定する処理に加えて実行されるメッセージ表示を行なうための表示制御を示すフローチャートである。図１０のフローチャートに示される処理もまた、ＣＰＵ４１が不揮発性メモリ４２に記憶されるプログラムを読出して実行し、図１に示される各装置を制御することで実現される。なお、本実施の形態においては、プリンタ１は図示されない表示部を備えて、ＣＰＵ４１は表示部に各種メッセージを表示するための制御も行なうものとする。
【００６７】
図１０を参照して、プリンタ１がモノクロモードとして動作している際であって、ＣＰＵ４１で、上記ステップＳ１０３において複数装着されている同一色のモノクロカートリッジのうちの最下流に位置するカートリッジ１８ａが装着されているにも関わらずカートリッジ１８ａにおいてモノクロ画像の形成不可能と判定された場合（ステップＳ５０１でＹＥＳ，かつステップＳ５０３でＹＥＳ）、カートリッジ１８ａのメモリ６０に記憶されている寿命情報を参照して、交換時期であるか否かが判定される（ステップＳ５０５）。カートリッジ１８ａの寿命がまだあって交換時期ではないと判定された場合には（ステップＳ５０５でＮＯ）、メッセー表示を行なうことなく、本処理を終了する。カートリッジ１８ａの寿命がきており交換時期であると判定された場合には（ステップＳ５０５でＹＥＳ）、「右端のカートリッジを交換するとファーストプリントタイムは短縮されます」などの、カートリッジ１８ａの交換を促すメッセージを図示されない表示部に表示するための制御を実行する（ステップＳ５０７）。
【００６８】
ＣＰＵ４１で、上記ステップＳ１０３においてカートリッジ１８ａが装着されておらずにカートリッジ１８ａにおいてモノクロ画像の形成不可能と判定された場合には（ステップＳ５０１でＹＥＳ，かつステップＳ５０３でＮＯ）、「カートリッジを右端に装着するとファーストプリントタイムは短縮されます」などの、カートリッジ１８ａの装着を促すメッセージを図示されない表示部に表示するための制御が実行される（ステップＳ５０９）。
【００６９】
第３の実施の形態にかかる処理は、第１の実施の形態にかかる処理または第２の実施の形態にかかる処理と組合わせて実行させることが可能である。このように、第１の実施の形態にかかる処理または第２の実施の形態にかかる処理に組合わされて、第３の実施の形態にかかるプリンタ１において上記制御が実行されることで、同一色のモノクロカートリッジが複数装着されてモノクロモードで動作するときに、１枚目の画像が複数のモノクロカートリッジのうちの最下流のカートリッジで画像形成されない場合、最下流のカートリッジで画像形成されるようにユーザに促すことができる。
【００７０】
なお、上記制御例では、上記ステップＳ１０３で最下流のカートリッジ１８ａで１枚目の画像データの画像形成が不可能であると判定された場合に上記制御が実行されるとされているが、実行のタイミングはステップＳ１０３の処理に関わらず、所定間隔、電源が投入されたタイミング、低消費電力状態から通常電力状態に移行したタイミング等、その他のタイミングであってもよい。
【００７１】
［第４の実施の形態］
上記第１〜第３の実施の形態においては、プリンタ１がモノクロモードで動作する場合における処理であるものとしたが、本実施の形態にかかる処理が実行される動作モードはモノクロモードに限定されず、同一色のカートリッジが複数装着されたプリンタ１においてカラーモードで上述の画像形成を行なうカートリッジを決定する処理や画像形成および給紙のタイミング制御が実行されてもよい。
【００７２】
図１１は、動作モードがカラーモードであって、動作が低電圧状態等の停止状態であったときに画像データを受信すると実行される、画像形成を行なうカートリッジを決定する処理を示すフローチャートである。ここでは、複数のカートリッジ１８ａ〜１８ｄについて、カートリッジ１８ａ，１８ｃがブラック（Ｋ）用のトナーカートリッジであり、カートリッジ１８ｂ，１８ｄがマゼンタ（Ｍ）用のトナーカートリッジであって、カラーモードで２色刷り印刷を行なうものとする。図１１のフローチャートに示される処理もまた、ＣＰＵ４１が不揮発性メモリ４２に記憶されるプログラムを読出して実行し、図１に示される各装置を制御することで実現される。
【００７３】
図１１を参照して、画像データを受信して処理が開始すると、始めに、ＣＰＵ４１において、処理対象の画像データが１枚目の画像データであるか否かが判定され（ステップＳ６０１）、１枚目の画像データである場合（ステップＳ６０１でＹＥＳ）、複数装着されている同一色のカートリッジのうちの下流側に装着されるカートリッジ、すなわち、ブラック（Ｋ）用のトナーカートリッジ１８ａ，１８ｃのうちのカートリッジ１８ａと、マゼンタ（Ｍ）用のトナーカートリッジ１８ｂ，１８ｄのうちのカートリッジ１８ｂとで画像形成が可能であるか否かが判定される（ステップＳ６０３）。下流側のカートリッジ１８ａ，１８ｂにおいて画像形成が可能である場合には（ステップＳ６０３でＹＥＳ）、これらのカートリッジが画像形成を行なうカートリッジに決定され、１枚目の画像データの画像形成が開始される（ステップＳ６０５）。
【００７４】
下流側のカートリッジ１８ａ，１８ｂにおいて画像形成が不可能である場合には（ステップＳ６０３でＮＯ）、残るカートリッジ１８ｃ，１８ｄで画像形成が可能であるか否かが判定され（ステップＳ６０７）、可能な場合には（ステップＳ６０７でＹＥＳ）、それらのカートリッジ１８ｃ，１８ｄが画像形成を行なうカートリッジに決定されて、１枚目の画像データの画像形成が開始される（ステップＳ６０９）。
【００７５】
また、２枚以降の画像データについては（ステップＳ６０１でＮＯ）、上流側に装着されるカートリッジ、すなわち、ブラック（Ｋ）用のトナーカートリッジ１８ａ，１８ｃのうちのカートリッジ１８ｃと、マゼンタ（Ｍ）用のトナーカートリッジ１８ｂ，１８ｄのうちのカートリッジ１８ｄとで画像形成が可能であるか否かが判定され（ステップＳ６０７）、可能な場合には（ステップＳ６０７でＹＥＳ）、それらのカートリッジ１８ｃ，１８ｄが画像形成を行なうカートリッジに決定されて、当該画像データの画像形成が開始される（ステップＳ６０９）。不可能な場合には（ステップＳ６０７でＮＯ）、残るカートリッジ１８ａ，１８ｂが画像形成を行なうカートリッジに決定されて、当該画像データの画像形成が開始される（ステップＳ６０５）。
【００７６】
このとき、第１の実施の形態において図４〜図６のフローチャートに示されたカートリッジ１８での画像形成および給紙のタイミング制御と同様の制御が実行される。
【００７７】
なお、上記具体例においては、処理を容易にするため、プリンタ１に装着されたブラック（Ｋ）用のカートリッジ１８ａ，１８ｃおよびマゼンタ（Ｍ）用のカートリッジ１８ｂ，１８ｄについて、上流側に装着されているカートリッジ１８ｃ，１８ｄと、下流側に装着されているカートリッジ１８ａ，１８ｂとにグループ分けして、上流側の組または下流側の組で画像形成可能か否かが判定されるものとされているが、上記グループ分けを行なわず、同一色のカートリッジについて、それぞれ、上流側のカートリッジまたは下流側のカートリッジで画像形成可能か否かが判定されてもよい。すなわち、上記具体例のように、複数の色について同一色のカートリッジが複数装着されている場合、ステップＳ６０３では、第１色について下流側のカートリッジで画像形成可能が不可能と判定されても、第２色について下流側のカートリッジで画像形成可能が可能と判定された場合、第１色については上流側のカートリッジが画像形成を行なうカートリッジに決定され、第２色について下流側のカートリッジが画像形成を行なうカートリッジに決定されてもよい。
【００７８】
さらに、第４の実施の形態においては、プリンタ１にブラック（Ｋ）用のカートリッジ１８ａ，１８ｃおよびマゼンタ（Ｍ）用のカートリッジ１８ｂ，１８ｄが装着されているものとされたが、カートリッジの装着位置が上記具体例と異なる位置であっても、同様に、下流側（Ｓ６０３）および上流側（Ｓ６０７）で画像形成可能か否かが判定される。
【００７９】
また、たとえばプリンタ１に４以上のカートリッジが装着可能な場合であって、２色以上について複数のカートリッジが装着されている場合、または同一色について３以上のカートリッジが装着されている場合であっても、同様の処理を行なって画像形成を行なうカートリッジを決定することができる。なお、その場合、第１の実施の形態に挙げられた２枚目以降の画像データについての画像形成を行なうカートリッジを決定する方法（その時点で最上流のカートリッジを用いる方法）、または第２の実施の形態に挙げられた方法（トナー残量の多いカートリッジから用いる方法）のいずれの方法を用いることも可能である。また、第３の実施の形態にかかる処理が組合わされて実行されてもよい。
【００８０】
さらに、上述の第１〜第４の実施の形態にかかるプリンタ１で実行される画像形成を行なうカートリッジの決定方法、画像形成および給紙のタイミングの制御方法、およびメッセージ表示を行なうための表示制御方法を、プログラムとして提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８１】
提供されるプログラム製品は、ハードディスクなどのプログラム格納部にインストールされて実行される。なお、プログラム製品は、プログラム自体と、プログラムが記録された記録媒体とを含む。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】実施の形態にかかるプリンタ１の装置構成の概略についての具体例を示す模式的断面図である。
【図２】プリンタ１の要部の電気的構成の具体例を模式的に示すブロック図である。
【図３】第１の実施の形態にプリンタ１における、画像形成を行なうカートリッジを決定する処理を示すフローチャートである。
【図４】カートリッジ１８での画像形成および給紙のタイミング制御を示すフローチャートである。
【図５】カートリッジ１８での画像形成および給紙のタイミング制御を示すフローチャートである。
【図６】カートリッジ１８での画像形成および給紙のタイミング制御を示すフローチャートである。
【図７】各カートリッジ１８における一次転写位置と、二次転写位置との距離関係を模式的に示す図である。
【図８】第２の実施の形態にプリンタ１における、画像形成を行なうカートリッジを決定する処理を示すフローチャートである。
【図９】ステップＳ３０３で実行される、２枚目以降の画像データを画像形成するカートリッジを決定する処理を示すフローチャートである。
【図１０】第３の実施の形態にプリンタ１における、メッセージ表示を行なうための表示制御を示すフローチャートである。
【図１１】第４の実施の形態にプリンタ１における、画像形成を行なうカートリッジを決定する処理を示すフローチャートである。
【符号の説明】
【００８４】
１  プリンタ、２  中間転写ベルト、３  感光体、４  現像部、５  帯電部、６  露光部、７  感光体クリーナ、８  中間転写ベルトクリーナ、９  記録媒体収納部、１０  給紙ローラ、１１  タイミングローラ、１３  転写ローラ、１４ａ  加熱ローラ、１４ｂ  加圧ローラ、１５  排紙ローラ、１６  両面搬送路、１７ａ，１７ｂ  両面経路搬送ローラ、１８，１８ａ〜１８ｄ  カートリッジ、２０  サーミスタ、２１  ハロゲンヒータ、４０  制御基板、４１  ＣＰＵ、４２  不揮発性メモリ、５０  カートリッジ装着基板、６０  メモリ。
【図１】
2007114571.tif 000003
【図２】
2007114571.tif 000004
【図３】
2007114571.tif 000005
【図４】
2007114571.tif 000006
【図５】
2007114571.tif 000007
【図６】
2007114571.tif 000008
【図７】
2007114571.tif 000009
【図８】
2007114571.tif 000010
【図９】
2007114571.tif 000011
【図１０】
2007114571.tif 000012
【図１１】
2007114571.tif 000013